(57)【要約】【課題】入浴者の頭蓋骨へ直接音情報を伝達することのできるようにし、浴室内での音の発生を防止し、浴室外へ洩れ出ないようにする。【解決手段】浴槽１に振動を伝達させないように振動発生器２を取り付けると共に、入浴者頭部領域と接するように、振動発生器２の振動出力部５を露出させている。このような振動発生器２は、いわゆる骨伝導スピーカーと呼ばれるものであり、人間の頭蓋骨へ直接、音情報信号による振動を伝達することにより、耳小骨・蝸牛を通じて脳の聴覚神経を刺激し、音情報を伝達するようにしている。従って、音が浴室外へ洩れ出るということがない。また浴室内の各種の雑音に影響されることもなく、快適な使用環境の下で独立して音楽等を楽しむことができる。更に、振動発生器２の振動が浴槽側へ伝達されて振動騒音の原因となるということもなく、静かである。【選択図】  図１
2006136443.tif 000002
【特許請求の範囲】
【請求項１】
浴槽へ振動を伝達させないように振動発生器を当該浴槽に取り付け、入浴者の頭部が接するように該振動発生器の振動出力部を浴槽の表面に露出させたことを特徴とする振動発生器付き浴槽。
【請求項２】
浴槽へ振動を伝達させないように振動発生器を当該浴槽に取り付け、前記振動発生器の振動出力部に振動具を振動伝達可能に配設したことを特徴とする振動発生器付き浴槽。
【請求項３】
前記振動具は入浴者の頭を支える枕であって、該枕は振動板を有し、振動発生器の振動出力部に枕の振動板を振動伝達可能にかつ着脱可能に連結したことを特徴とする請求項２に記載の振動発生器付き浴槽。
【発明の詳細な説明】
【技術分野】
【０００１】
本発明は、入浴者が頭蓋骨から直接に音を伝搬して聞くことのできるいわゆる骨伝導スピーカーを備えた振動発生器付き浴槽に関するものである。
【背景技術】
【０００２】
最近では、浴室にオーディオ装置を設置し、入浴動作をしながらカセットテープやＣＤの音楽を聴いたり、ＡＭ及びＦＭラジオ放送の音楽やニュースを聴いたり、テレビの音声信号を聴いたりする等の楽しみ方がある。このような浴室で音情報を楽しむ公知の技術としては、特許文献１及び特許文献２に記載された発明が公知である。
【０００３】
特許文献１に記載された発明では、バスタブ（浴槽）のフランジ上面や浴室壁面に防水用スピーカーを設け、また浴槽の中に水中用スピーカーを設けている。入浴者が浴槽に浸かっているときに、浴槽外に設けた防水用スピーカーからの音を耳で聴き、浴槽内に設けた水中用スピーカーからの音を体感し、耳と体とで音楽を感じ取ることができるようにしている。
【０００４】
これに対して、特許文献２に記載された発明では、入浴者が浴槽に浸かったときに背側に位置する浴槽フランジに頭が入り込める凹部を備えた凸部を形成し、凸部の内面側に防水スピーカーを設置している。これにより、浴室内における給水音、換気扇音、気泡発生装置のポンプ音、気泡の噴出音等の各種の雑音があっても、入浴者は耳元で音楽等の音を楽しむことが可能である。
【特許文献１】特開平８−８０２６９号公報
【特許文献２】特開平５−１０３７３１号公報
【発明の開示】
【発明が解決しようとする課題】
【０００５】
ところが、特許文献１に記載された発明では、浴槽内及び浴槽外の浴室内で音を発生させているため、浴室外へ音が洩れ、騒音の原因となる欠点があった。また浴室内における各種の雑音によって、スピーカーから発せられる音が聴取し難いという欠点があった。
一方、特許文献２に記載された発明では、浴槽へ浸かった入浴者の耳元にスピーカーが存在しているので、浴室内雑音の影響を受けることなく音楽を聴くことができ、快適な使用が可能であるが、入浴者が頭をスピーカーの凹部から離したときに、スピーカーからの音がやはり浴室外へ洩れ出るという欠点があった。
【０００６】
本発明は従来の前記課題に鑑みてこれを改良除去したものであって、浴槽へ浸かった入浴者の頭蓋骨へ直接音情報を伝達することのできる振動発生器（骨伝導スピーカー）により、振動を耳小骨・蝸牛へ伝達するようにし、聴覚神経を刺激して快適な音楽の聴取ができるようにし、浴室外への音の洩れを防止することのできる振動発生器付き浴槽を提供せんとするものである。
【課題を解決するための手段】
【０００７】
而して、前記課題を解決するために本発明が採用した請求項１の手段は、浴槽へ振動を伝達させないように振動発生器を当該浴槽に取り付け、入浴者の頭部が接するように該振動発生器の振動出力部を浴槽の表面に露出させたことを特徴とする振動発生器付き浴槽である。
【０００８】
本発明が採用した請求項２の手段は、浴槽へ振動を伝達させないように振動発生器を当該浴槽に取り付け、前記振動発生器の振動出力部に振動具を振動伝達可能に配設したことを特徴とする振動発生器付き浴槽である。
【０００９】
本発明が採用した請求項３の手段は、前記振動具は入浴者の頭を支える枕であって、該枕は振動板を有し、振動発生器の振動出力部に枕の振動板を振動伝達可能にかつ着脱可能に連結したことを特徴とする請求項２に記載の振動発生器付き浴槽である。
【発明の効果】
【００１０】
請求項１の発明にあっては、浴槽へ振動を伝達させないように振動発生器を取り付けている。そして、浴槽の入浴者頭部領域と接するように、振動発生器の振動出力部を露出させている。このような振動発生器は、いわゆる骨伝導スピーカーと呼ばれるものであり、人間の頭蓋骨へ直接、音情報信号による振動を伝達することにより、耳小骨・蝸牛を通じて脳の聴覚神経を刺激し、音情報を伝達するようにしている。従って、音が浴室外へ洩れ出るということがない。また浴室内の各種の雑音に影響されることもなく、快適な使用環境の下で独立して音楽等を楽しむことが可能である。更に、振動発生器は振動を伝達させないように浴槽へ取り付けられているので、振動発生器の振動が浴槽側へ伝達されて振動騒音の原因となるということもなく、静かである。
【００１１】
請求項２の発明にあっては、浴槽へ振動を伝達させないように振動発生器を取り付け、前記振動発生器の振動出力部に振動具を振動伝達可能に配設している。従って、振動発生器の振動出力部に風呂蓋等の振動具を当接させると、振動出力部の振動が振動具に伝達され、振動具自体が発音体となって発音する。そして、振動発生器の振動出力部から振動具を分離又は離反させると、振動発生器の振動が伝達されなくなり、発音させない状態となる。このように、この発明では発音状態と、発音させない状態とを選択的に切り換えて使用することが可能である。
【００１２】
請求項３の発明にあっては、前記振動具は入浴者の頭を支える枕であって、該枕は振動板を有し、振動発生器の振動出力部に枕の振動板を振動伝達可能にかつ着脱可能に連結している。この発明によれば、枕全体を通じて入浴者の頭蓋骨が直接振動を受け、請求項１の発明の場合と同様に脳内で音を感じ取ることができる。一方、枕の振動板自体が振動して音を発生する。そのため、枕を通じて耳の鼓膜からも音を感じ取ることができる。
【発明を実施するための最良の形態】
【００１３】
以下に、本発明の構成を図面に示す発明の実施の形態に基づいて説明すると次の通りである。図１及び図２は本発明の第１の実施の形態に係るものであり、図１は浴槽１の一部斜視図、図２は浴槽１へ取り付けた振動発生器２の縦断面図である。浴槽１のフランジ部上面１Ａに傾斜面１Ｂを設け、該傾斜面１Ｂに二つの振動発生器（骨伝導スピーカー）２を設置している。振動発生器２は、音情報信号を機械的な振動として出力するものであればよく、ボイスコイルを用いたエキサイター（励振器）、超磁歪式のアクチュエータ、圧電振動子を用いたアクチュエータ等の製品が公知である。図２は、振動発生器２としてエキサイターを用いた場合を簡単に示すものである。同図に示す如く、エキサイターの振動発生器２は、本体ケーシング３の底部側に凹部を備えた皿状のヨーク４が取り付けられており、前記凹部内に磁石が取り付けられ、更にその外周側にボビンが嵌合装着されている。ボビンの外周面にはボイスコイルが巻回されており、ボビンの上端面には振動出力部５が連結固定されている。このような構成のエキサイターの振動発生器２は、ゴム又はゲル等の振動を吸収する防振材６を介して浴槽１のフランジ部の傾斜面１Ｂに取り付けられている。
【００１４】
エキサイターの音発生原理は、ボイスコイルにＣＤプレイヤーやラジオ，テレビなどの音声出力部から音情報信号が流れると、その強さに応じてボイスコイルと共にボビンがピストン運動し、ボビンの先端側の振動出力部５を振動させることで行われる。入浴者が、浴槽１の湯に浸かった状態で後頭部をエキサイターの振動発生器２の上へ載置すると、振動出力部５が頭蓋骨を直接に振動させるようになる。そして、この頭蓋骨の振動は、脳内の耳小骨・蝸牛を通じて聴覚神経を刺激し、入浴者に音情報と同じ音を脳内で発生させるようになる。従って、従来のように、浴室内で音が発生するということはなく、音が浴室外へ洩れ出て騒音の原因になるということもあり得ない。また浴室内の各種の雑音に影響されることもなく、快適な使用環境の下で独立して音楽等を楽しむことが可能である。更に、振動発生器は防振材を介して浴槽へ取り付けられているので、振動発生器の振動が浴槽側へ伝達されて振動騒音の原因となるということもなく、静かである。
【００１５】
なお、振動発生器２として超磁歪式アクチュエータを用いた場合は、電磁コイルで生じる磁界変化で超磁歪ロッドを伸縮させて振動を発生させ、これを振動出力部へ伝達し、エキサイターの場合と同様に入浴者の頭蓋骨を介して脳内で音を感じる取ることができるようにしている。また振動発生器２として圧電振動子を用いた場合は、圧電振動子自体に音情報信号の電圧を印加することで圧電振動子自体が振動し、同様に頭蓋骨を介して脳内で音を感じ取ることができるようにしている。
【００１６】
図３は、本発明の第２の実施の形態に係る浴槽１を示す部分斜視図である。同図に示す如く、この実施の形態では、浴槽１のフランジ上面１Ａに設けた傾斜面１Ｂに、入浴者の頭部が入り込むことのできる凹部７を形成し、該凹部７の両側面７Ａに振動発生器２を設置している。振動発生器２の作用効果は、前記第１の実施の形態の場合と同じである。
【００１７】
図４及び図５は、本発明の第３の実施の形態に係るものであり、図４の図（Ａ）は浴槽１から枕８を分離した場合を示す浴槽１の部分斜視図、図（Ｂ）は浴槽１へ枕８を取り付けた状態を示す浴槽１の部分斜視図、図５は浴槽１へ枕８を取り付けた場合の縦断面図である。枕８は、底面側が浴槽１に沿った形状を成し、振動発生器２に嵌合する凹部９を備えている。また枕８の上面側は、人間が頭部を載せたときに、違和感が生じないように首及び後頭部に沿った形状を成している。枕８は、皮や合成皮革で成形された表面材１０を有し、その内部の本体部１１は発泡材やゴム、エラストマー等の軟質材料で成形されている。また本体部１１の内部には、金属や硬質樹脂材料で成形された振動板１２が人間の首及び後頭部の形状に沿った状態で埋め込まれている。更に、振動板１２には、金属や硬質材料からなる振動伝達部材１３が取り付けられて固定されており、該振動伝達部材１３の下面側は、前記振動発生器２の振動出力部５へ当接するようになっている。
【００１８】
次に、このように構成された音発生器付き浴槽１の使用態様を説明する。入浴者は、浴槽１の湯へ浸かった状態で後頭部を枕８の上面側へ載置すると、振動発生器２の振動出力部５の振動を振動伝達部材１３を介して振動板１２が受け、枕８の全体を通じて入浴者の頭蓋骨を直接振動させるようになる。そのため、前記第２の実施の形態の場合と同じように、脳内の耳小骨・蝸牛を通じて聴覚神経を刺激し、入浴者に音情報と同じ音を脳内で発生させるようになる。それに加えて、枕の振動板１２自体が振動するので、当該振動板１２自体が音を発生するようになる。これにより、枕を通じて耳の鼓膜からからも音を感じ取ることができる。この場合の振動板１２が発する音は、枕８の発泡材やゴム、エラストマー等の軟質材料が吸音材として機能し、浴室内へ音が拡散するのを防止することができる。そのため、振動板１２が発する音は、枕８の近傍でしか聞こえることはなく、これが浴室外へ洩れ出て騒音の原因になるということはない。つまり、入浴者は、その頭全体が枕８に包み込まれるような形で音情報を聞くことが可能である。その他の作用効果については、前記第１の実施の形態の場合と同じである。
【００１９】
図６は、本発明の第４の実施の形態に係る枕１４を示す縦断面図であり、前記第２の実施の形態における振動板１２の下面側に凹部１５を形成し、該凹部１５に振動発生器２のケーシング３に設けた係止用突起１６に脱着自在に嵌合し得る支持具１７を設けている。係止用突起１６と支持具１７とは、係合することにより枕１４の移動を抑止するストッパーの機能をも有している。一方、この枕１４にあっては、振動出力部５と振動板１２との間に配設される振動伝達部材１８も脱着自在としている。従って、この枕１４は、使用しないときには取り外しておくことが可能であり、枕１４を取り外した場合、振動伝達部材１８も取り外しておくことが可能である。しかも、枕１４を脱着自在にする構成が単に載置したり、持ち上げたりするだけであり、簡単である。
【００２０】
図７〜図９は本発明の第５の実施の形態に係るものであり、振動具を風呂蓋２０とした場合のものである。図７は風呂蓋２０の係止具２１を示す浴槽１の斜視図、図８は係止具２１へ風呂蓋２０を立設して収納した場合を示す浴槽１の斜視図、図９は同収納状態を示す縦断面図である。この場合の風呂蓋２０は二枚一組の組蓋である。この実施の形態では、浴槽１のフランジ上面１Ａに発泡材やゴム等の防振材２２を介して係止具２１をボルト２３で取り付け、係止具２１内に振動発生器２を取り付けている。係止具２１は、風呂蓋２０の収納凹部２４を有している。
【００２１】
該収納凹部２４へ風呂蓋２４を収納した状態では、振動発生器２の振動が係止具２１を通じて風呂蓋２４へ伝達され、風呂蓋２０自体が発音体となって発音する。収納凹部２４から風呂蓋２４を取り除くと、振動発生器２の振動は他の浴槽１や風呂蓋２０へ伝達されなくなり、発音させない状態となる。
このようにこの実施の形態では、風呂蓋２０を浴槽１へ被せて浴槽の湯を保温状態にしている非使用時には、音を発生させない状態とし、風呂蓋２０を係止具２１へ立てて係止した状態では当該風呂蓋２０自体を発音体として発音させることが可能である。
【図面の簡単な説明】
【００２２】
【図１】本発明の第１の実施の形態に係るものであり、浴槽の一部斜視図である。
【図２】本発明の第１の実施の形態に係るものであり、浴槽へ取り付けた状態の振動発生器の縦断面図である。
【図３】本発明の第２の実施の形態に係るものであり、浴槽の一部斜視図である。
【図４】本発明の第３の実施の形態に係るものであり、図（Ａ）は浴槽から枕を分離した場合を示す浴槽の部分斜視図、図（Ｂ）は浴槽へ枕を取り付けた状態を示す浴槽の部分斜視図である。
【図５】本発明の第３の実施の形態に係るものであり、浴槽へ枕を取り付けた場合の縦断面図である。
【図６】本発明の第４の実施の形態に係るものであり、浴槽へ枕を取り付けた場合の縦断面図である。
【図７】本発明の第５の実施の形態に係るものであり、風呂蓋の係止具を示す浴槽の斜視図である。
【図８】本発明の第５の実施の形態に係るものであり、係止具へ風呂蓋を立設して収納した場合を示す浴槽の斜視図である。
【図９】本発明の第５の実施の形態に係るものであり、係止具へ風呂蓋を立設して収納した場合を示す浴槽の部分縦断面図である。
【符号の説明】
【００２３】
１…浴槽、２…振動発生器、３…振動発生器のケーシング、５…振動出力部、６…防振  材、８…枕、１２…振動板、１３…振動伝達部材
【図１】
2006136443.tif 000003
【図２】
2006136443.tif 000004
【図３】
2006136443.tif 000005
【図４】
2006136443.tif 000006
【図５】
2006136443.tif 000007
【図６】
2006136443.tif 000008
【図７】
2006136443.tif 000009
【図８】
2006136443.tif 000010
【図９】
2006136443.tif 000011